(57)【要約】【課題】  扉施錠フックと閉止具とを係脱可能に係合させる配置スペースをガラス扉側に確保する必要性を解消し、ガラス扉の設計の自由度を向上させる。【解決手段】  本体枠３０前面の一側部には、扉開閉用ヒンジ機構９０によってガラス扉１２０が開閉可能に装着される。本体枠３０後面の他側部には、ガラス扉１２０後面の自由端部に設けられた閉止具１３０に係脱可能に係合して同ガラス扉１２０を閉じ状態に施錠する扉施錠フック１０７を有する施錠装置１００が配設されている。【選択図】        図１
2005270643.tif 000002
【特許請求の範囲】
【請求項１】
本体枠前面の一側部には、扉開閉用ヒンジ機構によってガラス扉が開閉可能に装着され、前記本体枠後面の他側部には、前記ガラス扉後面の自由端部に設けられた閉止具に係脱可能に係合して同ガラス扉を閉じ状態に施錠する扉施錠フックを有する施錠装置が配設されていることを特徴とする遊技機。
【発明の詳細な説明】
【技術分野】
【０００１】
この発明は、前側にガラス扉のような開閉扉が開閉可能に装着された遊技機に関し、例えば、パチンコ機のような球（パチンコ球）を用いて遊技を行う遊技機、あるいはメダルを用いてスロット遊技を行うスロットマシン、あるいは、球（パチンコ球）を用いてスロット遊技を行う遊技機に関する。
【背景技術】
【０００２】
この種の遊技機（例えば、パチンコ機）において、本体枠（前枠、前面枠等とも呼ばれる）の前面の一側に扉開閉用ヒンジ機構によってガラス扉が開閉可能に装着されるようになっている。
また、本体枠後面の自由端側には、ガラス扉を閉じ状態に施錠する扉施錠具を有する施錠装置が配設されるるとともに、本体枠の自由端寄り部分には、扉施錠具に対応する位置においてフック挿通孔が形成されている。
一方、ガラス扉の後面の自由端側には扉施錠フックが後方に向けて突出されている。
そして、ガラス扉を閉じたときには、その後面の扉施錠フックが本体枠を貫通して施錠装置の扉用施錠金具に係脱可能に係合し、これによってガラス扉を閉じ状態に施錠するように構成されたものが知られている（例えば、特許文献１参照）。
【特許文献１】特開２００３ー１９０５４６号公報（頁３、図２）
【発明の開示】
【発明が解決しようとする課題】
【０００３】
ところで、ガラス扉の後面の自由端側に対し扉施錠フックが突出されると、操作者によってガラス扉が開かれたときに、扉施錠フックが突起物となり操作者や異物に当たって、操作者や異物が損傷されたり、あるいは扉施錠フック自体が折損する場合がある。
このような不具合を解消するため、本体枠後面の自由端側に扉施錠フックを配置し、その扉施錠フックを本体枠の自由端側に貫設された挿通部を通して同本体枠の前面から所定量だけ突出させる一方、ガラス扉後面の自由端側に、扉施錠フックと係脱可能に係合する閉止具を装着することが同一出願人によって提案されている。
しかしながら、前記した構造にすると、扉施錠フックと閉止具とを係脱可能に係合させる配置スペースをガラス扉側に確保する必要性が生じ、これによって、ガラス扉の設計の自由度が制限される。
言い換えると、扉施錠フックと閉止具とを係脱可能に係合させる配置スペースをガラス扉側に確保できない場合には、前記した構造をもつ施錠装置を採用することができないという問題点があった。
【０００４】
この発明の目的は、前記問題点に鑑み、扉施錠フックと閉止具とを係脱可能に係合させる配置スペースをガラス扉側に確保する必要性を解消することができ、ガラス扉の設計の自由度を向上させることができる遊技機を提供することである。
【課題を解決するための手段】
【０００５】
前記目的を達成するために、請求項１の発明に係る遊技機は、
「本体枠前面の一側部には、扉開閉用ヒンジ機構によってガラス扉が開閉可能に装着され、前記本体枠後面の他側部には、前記ガラス扉後面の自由端部に設けられた閉止具に係脱可能に係合して同ガラス扉を閉じ状態に施錠する扉施錠フックを有する施錠装置が配設された遊技機であって、
前記本体枠の他側部には、同本体枠の後側から前側に向けて前記扉施錠フックが挿通される挿通部が形成され、
前記ガラス扉を閉じ位置まで閉じたときには、前記閉止具が前記本体枠の挿通部内に進入しかつ前記扉施錠フックに係脱可能に係合するように前記挿通部の大きさが設定されていることを特徴とする遊技機。」
を要旨とするものである。
ここで、本体枠とは、遊技盤が着脱可能に装着される遊技盤装着枠が一体に形成されたりあるいは別体の遊技盤装着枠が組み付けられる前枠体であったり、あるいは、前枠体、遊技盤装着枠の他、球払出装置が装着される機構装着体（機構板、裏セット盤等とも呼ばれる）が一体に形成されたものをいう。
また、挿通部とは、本体枠の他側部に形成された貫通孔状のもの、あるいは切り欠き状に形成されたもの等をいう。
【０００６】
前記構成において、本体枠に対し扉開閉用ヒンジ機構を支点としてガラス扉が閉じ位置まで閉じられたときには、そのガラス扉の閉止具が本体枠の挿通部内に進入して扉施錠フックに係脱可能に係合する。これによって、本体枠に対しガラス扉が閉じ状態に施錠される。このようにして、本体枠の挿通部内において扉施錠フックと閉止具とを係脱可能に係合させる配置スペースを確保することができる。
【０００７】
請求項２の発明に係る遊技機は、
「請求項１に記載の遊技機であって、
本体枠は、矩形の遊技盤が装着される開口部を有する遊技盤装着枠と、その周囲に張り出す前枠体と、を備え、
前記前枠体の後面でかつガラス扉の自由端部に対向する枠体部分に、施錠装置が配設されるとともに、その施錠装置の扉施錠フックが後側から前側に向けて挿通される挿通部が形成されていることを特徴とする遊技機。」
を要旨とするものである。
【０００８】
前記構成において、ガラス扉の自由端部に対向する前枠体の枠体部分の後面に、施錠装置が配設され、その枠体部分に扉施錠フックに対応する挿通部が形成される。
すなわち、遊技盤装着枠の外側において、施錠装置及びその扉施錠フックが配置されるため、遊技盤装着枠に対し遊技盤を着脱する際に、施錠装置や扉施錠フックが妨害物となることを防止することができ、遊技盤装着枠に対し遊技盤を容易に着脱することができる。さらに、遊技盤装着枠に遊技盤が装着された状態において、遊技盤やその遊技盤に装着される装備品に干渉することなく施錠装置や扉施錠フックを配置することができる。
【０００９】
請求項３の発明に係る遊技機は、
「請求項２に記載の遊技機であって、
本体枠は、前枠体、遊技盤装着枠及び同遊技盤装着枠の後側に配置されかつ球タンク、タンクレール、球払出装置等が装着される機構装着体を一体に備えるととともに、合成樹脂材によって一体成形されていることを特徴とする遊技機。」
を要旨とするものである。
【００１０】
前記構成において、前枠体、遊技盤装着枠及び機構装着体を備えて合成樹脂材によって一体成形される本体枠は、奥行き寸法が大きくなる。これによって、前枠体の後面でかつガラス扉の自由端部に対向する枠体部分の後方には、奥行き寸法の大きいスペースが生まれる。そして、枠体部分の後方の奥行き寸法の大きいスペースを有効利用して、そのスペース内に施錠装置を配設することができる。
【００１１】
請求項４の発明に係る遊技機は、
「請求項１又は２に記載の遊技機であって、
ガラス扉の周縁部とこれに対向する本体枠の枠体部分のうち、少なくとも前記ガラス扉の自由端縁と、これに対向する前記本体枠の枠体部分には、前記ガラス扉が閉じられたときに相互に嵌合する上下方向に長尺の嵌合凹部と嵌合凸部とがそれぞれ設けられていることを特徴とする遊技機。」
を要旨とするものである。
【００１２】
前記構成において、ガラス扉が閉じられた状態にあるときには、上下方向に長尺の嵌合凹部と嵌合凸部とが嵌合することによって、ガラス扉の自由端縁と、これに対向する本体枠の枠体部分との間の隙間が塞がれる。
このため、本体枠とガラス扉との間に、線材、板材等の異物が侵入されることを防止することができる。このため、本体枠とガラス扉との間の隙間から侵入される線材、板材等の異物によって扉施錠フックと閉止具との係合が外され、ガラス扉が不正に開かれることを防止することができる。
【００１３】
請求項５の発明に係る遊技機は、
「請求項１〜４のいずれか一項に記載の遊技機であって、
閉止具は、ガラス扉の後面に固着される取付片と、その取付片から本体枠に配設された施錠装置の扉施錠フックに向けて略直角状に突設された側壁片と、その側壁片の先端から前記本体枠の前面に平行して横方向に延びかつ前記扉施錠フックに係脱可能に係合する係合片と、を一体に備え、
前記本体枠に対し扉開閉用ヒンジ機構を支点として前記ガラス扉が閉じ位置まで閉じられたときには、前記閉止具の側壁片及び係合片が前記本体枠の挿通部内に進入しかつその係合片が前記扉施錠フックの係止部に係脱可能に係合するように構成されていることを特徴とする遊技機。」
を要旨とするものである。
【００１４】
前記構成において、閉止具は、その取付片においてガラス扉の後面に安定よく固着される。
本体枠に対しガラス扉が閉じられた状態において、閉止具の側壁片及び係合片が本体枠の挿通部内に進入しかつその係合片が扉施錠フックの係止部に係脱可能に係合する。
前記したようにして、閉止具の側壁片及び係合片を本体枠の挿通部内に進入させることで、本体枠の挿通部内において、閉止具の係合片を扉施錠フックの係止部に確実に係合させることができる。
【００１５】
請求項６の発明に係る遊技機は、
「請求項５に記載の遊技機であって、
本体枠の挿通部は、施錠装置の扉施錠フック及び閉止具の側壁片が挿通される縦長の孔状に形成され、
前記挿通部には、前記閉止具の横方向の係合片の挿通を許容する幅広の係合片挿通部が設けられていることを特徴とする遊技機。」
を要旨とするものである。
【００１６】
前記構成において、本体枠の縦長の孔状に形成された挿通部には、施錠装置の扉施錠フック及び閉止具の側壁片が良好に挿通される。さらに、挿通部の幅広の係合片挿通部には閉止具の横方向に延びる係合片が良好に挿通される。
すなわち、縦長の孔状に形成された挿通部を、その縦方向全長にわたり、横方向に延びる係合片に対応して幅広に形成すると、本体枠の強度が、その幅広の挿通部が形成される部分において著しく低下する。これによって、幅広の挿通部の近傍に亀裂や破損が発生し易くなるが、前記したように、縦長の孔状をなす挿通部において、閉止具の横方向に延びる係合片に対応する部分においてのみ、幅広の係合片挿通部を設けることで、本体枠の強度低下を抑えることができる。
【００１７】
請求項７の発明に係る遊技機は、
「請求項５又は６に記載の遊技機であって、
閉止具の側壁片は、扉施錠フックよりも外側に位置し、前記扉施錠フックの係止部と前記閉止具の係合片との係合部分が前記閉止具の側壁片によって覆い隠されるように構成されていることを特徴とする遊技機。」
【００１８】
前記構成において、本体枠側の扉施錠フックの係止部と、ガラス扉側の閉止具の係合片との係合部分が同閉止具の側壁片によって覆い隠されるため、仮に、本体枠とガラス扉との間の隙間から線材、板材等の異物が侵入され、その異物が扉施錠フックの係止部と閉止具の係合片との係合部分に向けて侵入することを閉止具の側壁片によって阻止することができる。このため、本体枠とガラス扉との間の隙間から線材、板材等の異物が侵入され、その異物によって扉施錠フックの係止部と閉止具の係合片との係合が外され、ガラス扉が不正に開かれることを防止することができる。
【００１９】
請求項８の発明に係る遊技機は、
「請求項１〜７のいずれか一項に記載の遊技機であって、
本体枠の前側下部には扉受け部が設けられ、
ガラス扉の後側下部には、前記扉受け部に対応する位置において、扉ガイド体が後方に向けて突設され、
前記本体枠に対し扉開閉用ヒンジ機構を支点として前記ガラス扉が閉じ位置まで閉じられたときには、前記扉ガイド体が前記扉受け部上を滑走して前記ガラス扉を閉じ案内するとともに、ガラス扉の自由端側が下傾することなく正規の閉じ状態に保持し、かつ施錠装置の扉施錠フックと閉止具とを係合させる構成にしてあることを特徴とする遊技機。」
を要旨とするものである。
【００２０】
前記構成において、本体枠に対し扉開閉用ヒンジ機構を支点としてガラス扉を閉じ位置まで閉じたときには、扉ガイド体が本体枠の扉受け部上を滑走してその扉受け部に支承されるため、ガラス扉の自由端側が下傾することなく正規の閉じ状態にガラス扉を保持することでき、かつ施錠装置の扉施錠フックと閉止具とを、係合不良なく確実に係合させることができる。
【発明の効果】
【００２１】
この発明によれば、本体枠の挿通部内において扉施錠フックと閉止具とを係脱可能に係合させる配置スペースを確保することができるため、その配置スペースをガラス扉側に確保する必要性を解消することができる。この結果、ガラス扉の設計の自由度を向上させることができる。
【発明を実施するための最良の形態】
【００２２】
次に、この発明を実施するための最良の形態を実施例にしたがって説明する。
【実施例】
【００２３】
図１は遊技機の外枠の一側に本体枠が開かれその本体枠の一側にガラス扉が開かれた状態を示す斜視図である。図２は遊技機の前側全体を示す正面図である。図３は遊技機の本体枠と遊技盤とを分離して斜め右上前方から示す斜視図である。図４は遊技機の本体枠を斜め右上前方から示す斜視図である。図５は遊技機の本体枠を斜め右上後方から示す斜視図である。図６は施錠装置の下半部を示す斜視図である。図７はガラス扉の閉止具を示す斜視図である。図８は施錠装置の本体枠施錠フック、扉施錠フック及び本体枠の挿通部の関係を示す斜視図である。図９は本体枠の挿通部の正面の孔形状及び扉施錠フックと閉止具の係合状態を示す説明図である。図１０は施錠装置の本体枠施錠フック、扉施錠フック及び本体枠の挿通部の関係を示す側断面図である。図１１はガラス扉を斜め下後方から示す斜視図である。図１２はガラス扉に対し扉拘束体を分離した状態を後方から示す斜視図である。図１３は本体枠の扉受け部とガラス扉の扉ガイド体とが分離した状態を示す斜視図である。図１４は本体枠に対しガラス扉が閉じられた状態の扉受け部と扉ガイド体との関係を示す側断面図である。図１５は本体枠に対しガラス扉が閉じられた状態のヒンジ側を拡大して示す平断面図である。図１６は本体枠に対しガラス扉が閉じられた状態の自由端側を拡大して示す平断面図である。なお、説明の便宜上、遊技機において遊技者側を前、反対側を後として説明する。
【００２４】
［遊技機の概要について］
図１と図２に示すように、遊技機としてのパチンコ機は、外枠１０、本体枠３０、遊技盤６１、ガラス扉１２０等を備えて構成されている。
外枠１０は、上下左右の枠材によって縦長四角形の枠状に形成され、同外枠１０の前側下部には、本体枠３０の下面を受ける下受板１５を有している。
外枠１０の前面の一側には、本体枠開閉用ヒンジ機構２０によって本体枠３０が前方に開閉可能に装着されている。
【００２５】
［本体枠について］
図３と図４に示すように、本体枠３０は、前枠体３１、遊技盤装着枠６０及び機構装着体８０を合成樹脂材によって一体成形することで構成されている。
本体枠３０の前側に形成された前枠体３１は、外枠１０前側の下受板１５を除く外郭形状に対応する大きさの矩形枠状に形成されている。そして、前枠体３１の片側の上下部には、外枠１０側の外枠側ヒンジ具２１に対応する本体枠側ヒンジ具２２が固定され、その本体枠側ヒンジ具２２において、外枠１０の片側の上下部に固定された外枠側ヒンジ具２１にヒンジピンとヒンジ孔によって開閉回動可能に装着されている。すなわち、外枠側ヒンジ具２１、本体枠側ヒンジ具２２、ヒンジピン及びヒンジ孔によって本体枠開閉用ヒンジ機構２０が構成されている。
図３と図４に示すように、本体枠３０の前枠体３１の後部に一体に形成された遊技盤装着枠６０は、矩形の遊技盤６１が前方から着脱交換可能に装着されるようになっている。
言い換えると、本体枠３０の前枠体３１は、遊技盤６１が装着される開口部を有する遊技盤装着枠６０の周囲に張り出すように形成されている。
【００２６】
図３と図４に示すように、本体枠３０の前枠体３１の前側において、遊技盤装着枠６０よりも下方に位置する前枠体３１の前下部領域の一側寄りには、スピーカ装着板５４を介してスピーカ５５が装着されている。
また、前枠体３１前面の下部領域内には、その上側部分に発射レール装着部が形成され、下側部分には、下皿装着部が発射レール装着部よりも前側に突出して段差状に形成されている。そして、発射レール装着部には、遊技盤６１の発射通路に向けて球を導く発射レール５０が傾斜状に装着されている。
また、下皿装着部の前側には、その下皿装着部を覆うようにして下前面部材５１が装着されている。下前面部材５１の前面の略中央部には、下皿４５が設けられ、片側寄りには操作ハンドル４６が設けられている（図１参照）。
【００２７】
［遊技盤について］
図３と図４に示すように、遊技盤６１は、遊技盤装着枠６０の前方から嵌込まれる大きさの略四角板状に形成されている。
また、遊技盤６１の盤面（前面）には、外レール６４と内レール６５とを備えた案内レール６３が設けられ、その案内レール６３の内側に遊技領域６６が区画形成されている。
遊技盤６１には、その遊技領域６６内において、遊技に関する役物装置、例えば、センタ役物と呼ばれる役物装置７０、図柄表示装置（例えば、液晶表示器、ＥＬ表示器，プラズマ表示器，ＣＲＴ等）７２、入賞器、風車器、誘導釘、ランプ装飾部材等の各種の装備品が配設されている。
また、遊技盤６１の前面には、その案内レール６３の外側領域において、合成樹脂製の前構成部材６１ａが装着されている。
【００２８】
また、図３に示すように、遊技盤６１前面の前構成部材６１ａの他側寄りの上下２箇所には、ロック部材６２がピンと左右方向の長孔によって回動操作可能に装着されている。
そして、遊技盤６１（前構成部材６１ａを含む）は、その左側部が遊技盤装着枠６０の後面受け部と前面押え部との間に差し込まれ、ロック部材６２の先端部が遊技盤装着枠６０の係止部に係合されることで装着されるようになっている（図１参照）。
なお、遊技盤６１の後側には、遊技の進行を制御する主制御基板や周辺機器（ランプ、スピーカ等）を制御する副制御基板が配置されている。
また、図５に示すように、本体枠３０の後側に一体に形成された機構装着体８０には、球タンク８１、タンクレール８２、球払出装置８３等が配設されている。
【００２９】
［施錠装置について］
図５〜図１０に示すように、本体枠（前枠体３１）３０のヒンジ機構と反対側に自由端側の後側には、外枠１０に対し本体枠３０を施錠する機能と、本体枠３０に対し後に詳述するガラス扉１２０を施錠する機能とを兼ね備えた施錠装置１００が装着されている。
すなわち、この実施例において、施錠装置１００は、本体枠３０の前枠体３１の自由端側の後側に固定状態で装着された上下方向に長尺な取付基板１０１に対し、本体枠施錠部材１０２、扉施錠部材１０６、シリンダー錠１１０等が組み付けられて構成されている。
本体枠施錠部材１０２は、上下の施錠板１０２ａが連結体１０４によって一体状に連結されることで形成されるとともに、取付基板１０１に対し上下方向に移動可能に組み付けられかつばね（図示しない）によってロック方向（上方）に付勢されている。
そして、本体枠施錠部材１０２の上下の施錠板１０２ａには、外枠１０に設けられた閉止具１７に係脱可能に係合して本体枠３０を閉じ状態に施錠する本体枠施錠フック１０３が後方に向けて突出されている（図５参照）。なお、本体枠施錠部材１０２を長尺部材によって一体に形成し、その上下部に本体枠施錠フック１０３を形成しても実施可能である。
【００３０】
扉施錠部材１０６は長尺状に形成されて取付基板１０１に対し上下方向に移動可能に組み付けられかつばね（図示しない）によってロック方向（下方）に付勢されている（図５及び図６参照）。
扉施錠部材１０６には、ガラス扉１２０の各閉止具１３０に対応する複数（この実施例では上下及び中間の計３つ）の扉施錠フック１０７が前方に向けて突出されている（図４参照）。
図８〜図１０に示すように、各扉施錠フック１０７は、本体枠（前枠体３１）３０の自由端寄り部分に貫設された角孔状の挿通部４０に挿通されてガラス扉１２０の閉止具１３０に係脱可能に臨んでいる。そして、各扉施錠フック１０７の前端下部には、傾斜状の案内面１０８と上下方向に延びる係止面１０９とを備えて略三角形状をなす係止部１０７ａが係止されている。
【００３１】
また、図８〜図１０に示すように、本体枠（前枠体３１）３０の挿通部４０は、施錠装置１００の扉施錠フック１０７、閉止具１３０の側壁片１３２及び横方向の係合片１３３が挿通される縦長の孔状に形成されている。そして、ガラス扉１２０が閉じ位置まで閉じられたときに、そのガラス扉１２０の閉止具１３０の側壁片１３２及び係合片１３３が挿通部４０内に進入して扉施錠フック１０７に係脱可能に係合するようになっている。
さらに、図８と図９に示すように、挿通部４０には、その縦方向の略中央部に位置しかつ閉止具１３０の横方向の係合片１３３の挿通を許容する幅広の係合片挿通部４０ａが設けられている。
しかも、扉施錠フック１０７前端の係止部１０７ａが本体枠３０の挿通部４０から前方に突出することがない程度に挿通部４０の前後方向の寸法が設定されている。
なお、閉止具１３０については後に詳述する。
【００３２】
また、図５と図６に示すように、取付基板１０１の所定位置には、シリンダー錠１１０が装着され、そのシリンダー錠１１０の前端部は、図２と図３に示すように、遊技機の前方から鍵を挿入されて解錠操作可能に、前枠体３１及び下前面部材５１を貫通してその下前面部材５１の前面に露出されている。
図６に示すように、シリンダー錠１１０の錠軸１１１の後端部には解錠体１１２が一体状に設けられており、その解錠体１１２には、本体枠施錠部材１０２の下側の施錠板１０２ａに切り欠き状に形成された係合部１０２ｂに係合可能な第１解錠片１１３と、扉施錠部材１０６の下端縁に形成された係合部１０６ａに係合可能な第２解錠片１１４とがそれぞれ形成されている。
そして、シリンダー錠１１０の鍵穴に鍵が挿入されて一方向に回動操作され、解錠体１１２が図６に向かって反時計回り方向に回動されることで、その第１解錠片１１３が下側の施錠板１０２ａの係合部１０２ｂに係合しながら本体枠施錠部材１０２が押し下げられ、これによって本体枠施錠フック１０３と外枠１０の閉止具１７との係合が外れて本体枠３０が解錠される。これとは逆方向に回動操作され、解錠体１１２が図６に向かって時計回り方向に回動されることで、第２解錠片１１４が扉施錠部材１０６の係合部１０６ａに係合しながら扉施錠部材１０６が押し上げられ、これによって扉施錠フック１０７とガラス扉１２０の閉止具１３０との係合が外れてガラス扉１２０が解錠されるようになっている。
【００３３】
［本体枠の扉用拘束部及び扉受け部について］
図４と図１５に示すように、この実施例において、本体枠（前枠体３１）３０のヒンジ側の枠部内側の上下方向の中間高さ位置から下側寄り部分には、後述するガラス扉１２０の後面の扉拘束体１４０に係合することで、ガラス扉１２０が前方に向けて不測にこじ開けられることを防止するための扉用拘束部３９が内方に向けて突設されている。なお、扉用拘束部３９は、ガラス扉１２０の不測のこじ開けを防止できる程度の係合力を確保できる長さ寸法（上下方向の寸法）に設定され、後述する扉拘束体１４０よりも短尺に形成されている。
また、図４、図１３及び図１４に示すように、本体枠（前枠体３１）３０の前側の下部領域の段差部の自由端側寄り部分（左右方向中央部からヒンジ寄りに位置する部分）には、ガラス扉１２０の下端部を受ける扉受け部３４が形成されている。
この扉受け部３４は、前側が低く後側が高い傾斜面３７上に前後方向に延びる複数又は単数の扉受け用突部３８が突設されることで構成されている。そして、各扉受け用突部３８の前側上端部には傾斜面、円弧面、湾曲面等の面取り状の案内部３８ａが形成されている。
【００３４】
［ガラス扉について］
図４に示すように、本体枠（前枠体３１）３０の前面の一側上下部には、扉開閉用ヒンジ機構９０を構成する扉用ヒンジ具９１が装着されている。そして、図１に示すように、本体枠（前枠体３１）３０前面の一側には、扉開閉用ヒンジ機構９０によってガラス扉１２０が前方に開閉可能に装着されている。
図１、図２、図１１及び図１２に示すように、ガラス扉１２０は、金属製の扉フレーム１２０ａと、合成樹脂製の単数又は複数の前面装飾部材１２４とを主体として構成されている。
ガラス扉１２０の扉フレーム１２０ａは、鉄板等の金属板がプレス加工によって所要とする形状に形成されている。
この実施例において、図１、図１１及び図１２に示すように、扉フレーム１２０ａは、本体枠３０の前枠体３１の上端から下部前面板５１の上縁にわたる部分を覆う大きさに形成され、その略中央部には、遊技盤６１の遊技領域６６を前方から透視可能な略円形の開口窓１２１が形成されている。また、扉フレーム１２０ａの後側には、開口窓１２１よりも大きいかつ底壁と左右の両側壁を備えて矩形状をなす金属製の窓枠１２２が溶接によって一体状に固着され、その窓枠１２２にはガラス板、透明樹脂板等の透明板１２３が着脱交換可能に装着されている。また、窓枠１２２の左右の両側壁の上端部に跨ってガラス押え体１２２ａが開閉可能あるいは着脱可能に装着されている。
【００３５】
図２に示すように、ガラス扉１２０の扉フレーム１２０ａの前面には、その開口窓１２１の周囲の下側部分を除く略全体にわたって、ランプ等が内設された合成樹脂製の前面装飾部材１２４が装着されており、同ガラス扉１２０の扉フレーム１２０ａの前面の下部には上皿部材１２５が設けられている。
また、図１１と図１２に示すように、ガラス扉１２０の後側には、その窓枠１２２よりも下方でかつヒンジ寄り部分において、球を上皿部材１２５に導く上皿用球案内筒１２６が突設されている。そして、ガラス扉１２０が閉じられた状態において、上皿用球案内筒１２６の後端部が球払出装置の払出口に連通状に配置されるようになっている。
【００３６】
［ガラス扉の閉止具について］
図７〜図１２に示すように、ガラス扉１２０の扉開閉用ヒンジ機構９０と反対側の自由端側において、同ガラス扉１２０の後側には、施錠装置１００の各扉施錠フック１０７に係脱可能に係合してガラス扉１２０を閉じ状態に施錠する複数（この実施例では上下及び中間の計３つ）の金属製の閉止具１３０が設けられている。
【００３７】
図７〜図１０に示すように、各閉止具１３０は、ガラス扉１２０の後面に沿ってビス、溶接等によって固着された取付片１３１とその取付片１３１の外端から後方に向けて略直角状に折り曲げられ突出された側壁片１３２と、その側壁片１３２の後端から内側に向けて略直角状に折り返されることで本体枠３０の前面に平行して横方向に延び、かつ扉施錠フック１０７に係脱可能な係合片１３３とを一体に備えている。
そして、図９と図１０に示すように、本体枠３０に対し扉開閉用ヒンジ機構９０を支点としてガラス扉１２０が閉じ位置まで閉じられたときには、そのガラス扉１２０の各閉止具１３０の側壁片１３２及び係合片１３３が本体枠３０の挿通部４０内に進入しかつ係合片１３３が扉施錠フック１０７の係止部１７０ａの係止面１０９に係脱可能に係合するようになっている。
【００３８】
また、図９に示すように、閉止具１３０の係合片１３３が扉施錠フック１０７の係止部１０７ａの係止面１０９に係合してガラス扉１２０が閉じ位置に施錠された状態において、扉施錠フック１０７の係止部１０７ａと閉止具１３０の係合片１３３との係合部分は閉止具１３０の側壁片１３２によって覆い隠されるようになっている。
また、ガラス扉１２０の金属製の扉フレーム１２０ａの後面に対し、閉止具１３０をその取付片１３１においてビス、溶接等によって固着する際に、ビス締め工具、あるいは溶接ガンが閉止具１３０の係合片１３３に当たって干渉することがないように閉止具１３０の取付片１３１と係合片１３３とが上下方向に相互に位置ずれして設けられている。この実施例では、閉止具１３０の上下部に取付片１３１が形成され、中間部に係合片１３３が形成されている。
【００３９】
また、この実施例において、図１６に示すように、ガラス扉１２０の周縁部と、これに対向する本体枠３０の枠体部分のうち、少なくともガラス扉１２０の自由端縁と、これに対向する本体枠３０の枠体部分には、ガラス扉１２０が閉じられたときに相互に嵌合する上下方向に長尺の嵌合凹部１５０と嵌合凸部１５５とがそれぞれ設けられている。
この実施例において、本体枠３０の枠体部分の前面には、その上端部から下端部にわたって、外側に浅底部１５１、内側に深底部１５２を隣接状に有する段差状の嵌合凹部１５０が凹設されている。
一方、ガラス扉１２０の自由端縁には、段差状の嵌合凹部１５０に対応する第１凸部１５６と第２凸部１５７とを隣接状に有する段差状の嵌合凸部１５５が、ガラス扉１２０の上端部から下端部にわたって凸設されている。
すなわち、この実施例において、ガラス扉１２０の合成樹脂製の前面装飾部材１２４の自由端縁には、その嵌合凹部１５０の浅底部１５１に嵌込まれる第１凸部１５６が一体に形成され、金属製の扉フレーム１２０ａの自由端縁には、嵌合凹部１５０の深底部１５２に嵌込まれる第２凸部１５７が折り曲げ加工によって一体に形成されている。
なお、嵌合凹部１５０と嵌合凸部１５５は、ガラス扉１２０の全周縁部と、これに対向する本体枠３０の四辺の枠体部分にそれぞれ設けることも可能である。なお、嵌合凹部１５０と嵌合凸部１５５は段差状でなくてもよい。
【００４０】
［扉拘束体について］
図１１、図１２及び図１５に示すように、ガラス扉１２０の後面のヒンジ側には、その上下方向の中間高さ位置近傍から下部近傍にわたる長さを有して上下方向に長尺に形成された金属製の扉拘束体１４０が装着されている。
この扉拘束体１４０は、金属板の折り曲げ加工によって横断面略コの字状に形成され、ガラス扉１２０の金属製の扉フレーム１２０ａの後面に沿ってビス、溶接等によって固着された取付片１４１と、その取付片１４１の内端から後方に向けて略直角状に折り曲げられた側壁片１４２と、その側壁片１４２の後端から外側に向けて略直角状に折り返されかつ本体枠（前枠体３１）３０の扉用拘束部３９に係脱可能な係合片１４３とを一体に備えている。
そして、図１５に示すように、本体枠３０に対し扉開閉用ヒンジ機構９０を支点としてガラス扉１２０が閉じ位置まで閉じられたときには、扉拘束体１４０の係合片１４３が本体枠（前枠体３１）３０の扉用拘束部３９の後側に接近して係合可能に配置され、これによってガラス扉１２０が前方に向けて不測にこじ開けられて不正行為がなされることを防止するようになっている。
また、ガラス扉１２０の金属製の扉フレーム１２０ａの後面に対し、扉拘束体１４０をその取付片１４１においてビス、溶接等によって固着する際に、ビス締め工具、あるいは溶接ガンが扉拘束体１４０の係合片１４３に当たって干渉することがないように扉拘束体１４０の取付片１４１の横断面の長さ寸法が、係合片１４３の横断面の長さ寸法よりも大きく設定されている。
【００４１】
［扉ガイド体について］
図１１、図１２、図１３及び図１４に示すように、ガラス扉１２０の後側の自由端寄り下部には、本体枠（前枠体３１）３０前側の扉受け部３４に対応する位置において、扉ガイド体１２７が後方に向けて突設されている。
この扉ガイド体１２７の後端部下面には、扉受け部３４の扉受け用突部３８上を滑走してガラス扉１２０を閉じ案内するための傾斜状、円弧状、湾曲状等の面取り状のガイド面１２８が形成されている。
そして、図１４に示すように、本体枠３０に対し扉開閉用ヒンジ機構９０を支点としてガラス扉１２０が閉じ位置まで閉じられたときには、扉ガイド体１２７が扉受け部３４の扉受け用突部３８上を滑走してガラス扉１２０を閉じ案内するとともに、ガラス扉１２０の自由端側が下傾することなく正規の閉じ状態に保持するようになっている。
【００４２】
［実施例に係る遊技機の作用効果について］
上述したように構成されるこの実施例に係る遊技機において、図８〜図１０に示すように、本体枠３０に対し扉開閉用ヒンジ機構９０を支点としてガラス扉１２０が閉じ位置まで閉じられたときには、そのガラス扉１２０の閉止具１３０の側壁片１３２及び係合片１３３が本体枠３０の挿通部４０内に進入しかつ係合片１３３が扉施錠フック１０７の係止部１７０ａの係止面１０９に係脱可能に係合する。これによって、本体枠３０に対しガラス扉１２０が閉じ位置で施錠される。
【００４３】
このようにして、本体枠３０の挿通部４０内において扉施錠フック１０７と閉止具１３０とを係脱可能に係合させる配置スペースを確保することができる。
このため、扉施錠フックと閉止具とを係脱可能に係合させる配置スペースをガラス扉１２０側に確保する必要がない。これによって、ガラス扉１２０の設計の自由度を高めることができる。
言い換えると、扉施錠フックと閉止具とを係脱可能に係合させる配置スペースをガラス扉１２０側に確保すると、これによってガラス扉１２０の設計の自由度が制限されるが、この実施例においては、本体枠３０の挿通部４０内において扉施錠フック１０７と閉止具１３０とを係脱可能に係合させる配置スペースを確保することで、ガラス扉１２０の設計の自由度を高めることができる。例えば、ガラス扉１２０の奥行き寸法が小さく制限される場合において効果が大きい。
【００４４】
また、この実施例において、ガラス扉１２０の自由端部に対向する前枠体３１の枠体部分の後面に、施錠装置１００が配設され、その枠体部分に扉施錠フック１０７に対応する挿通部４０が形成される。
すなわち、遊技盤装着枠６０の外側において、施錠装置１００及びその扉施錠フック１０７が配置されるため、遊技盤装着枠６０に対し遊技盤６１を着脱する際に、施錠装置１００や扉施錠フック１０７が妨害物となることを防止することができ、遊技盤装着枠６０に対し遊技盤６１を容易に着脱することができる。さらに、遊技盤装着枠６０に遊技盤６１が装着された状態において、遊技盤６１やその遊技盤６１に装着される装備品に干渉することなく施錠装置１００や扉施錠フック１０７を配置することができる。
【００４５】
また、この実施例において、本体枠３０は、前枠体３１、遊技盤装着枠６０及び同遊技盤装着枠６０の後側に配置されかつ球タンク８１、タンクレール８２、球払出装置８３等が装着される機構装着体８０を一体に備えるととともに、合成樹脂材によって一体成形されている。
前記したように、前枠体３１、遊技盤装着枠６０及び機構装着体８０を備えて合成樹脂材によって一体成形される本体枠３０は、奥行き寸法が大きくなる。これによって、前枠体３１の後面でかつガラス扉１２０の自由端部に対向する枠体部分の後方には、奥行き寸法の大きいスペースが生まれる。そして、枠体部分の後方の奥行き寸法の大きいスペースを有効利用して、そのスペース内に施錠装置１００を配設することができる。
【００４６】
また、この実施例において、図７に示すように、金属製の閉止具１３０は、その取付片１３１において、ガラス扉１２０の金属製の扉フレーム１２０ａ後面にビス、溶接等によって安定よく強固に固着される。
また、本体枠３０に対しガラス扉１２０が閉じられた状態において、閉止具１３０の側壁片１３２及び係合片１３３が本体枠３０の挿通部４０内に進入しかつその係合片１３３が扉施錠フック１０７の係止部１０７ａに係脱可能に係合する。
このようにして、閉止具１３０の側壁片１３２及び係合片１３３を本体枠３０の挿通部４０内に進入させ、かつ本体枠３０の挿通部４０内において、閉止具１３０の係合片１３３を扉施錠フック１０７の係止部１０７ａに確実に係合させることができる。
【００４７】
また、この実施例において、本体枠３０の挿通部４０は、施錠装置１００の扉施錠フック１０７及び閉止具１３０の側壁片１３２が挿通される縦長の孔状に形成され、挿通部４０の略中央部には、閉止具１３０の横方向の係合片１３３の挿通を許容する幅広の係合片挿通部４０ａが設けられている。
このため、縦長の孔状の挿通部４０には、施錠装置１００の扉施錠フック１０７及び閉止具１３０の側壁片１３２が良好に挿通される。さらに、挿通部４０の幅広の係合片挿通部４０ａには閉止具１３０の横方向に延びる係合片１３３が良好に挿通される。
すなわち、縦長の孔状に形成された挿通部を、その縦方向全長にわたり、横方向に延びる係合片１３３に対応して幅広に形成すると、本体枠３０の強度が、その幅広の挿通部が形成される部分において著しく低下する。これによって、幅広の挿通部の近傍に亀裂や破損が発生し易くなるが、前記したように、縦長の孔状をなす挿通部４０において、閉止具１３０の横方向に延びる係合片１３３に対応する部分においてのみ、幅広の係合片挿通部４０ａを設けることで、本体枠３０の強度低下を良好に抑えることができる。
【００４８】
また、この実施例において、図９に示すように、本体枠３０側の扉施錠フック１０７の係止部１０７ａと、ガラス扉１２０側の閉止具１３０の係合片１３３との係合部分が同閉止具１３０の側壁片１３２によって覆い隠されるため、仮に、本体枠３０とガラス扉１２０との間の隙間から線材、板材等の異物が侵入され、その異物が扉施錠フック１０７の係止部１０７ａと閉止具１３０の係合片１３３との係合部分に向けて侵入することを閉止具１３０の側壁片１３２によって阻止することができる。このため、本体枠３０とガラス扉１２０との間の隙間から線材、板材等の異物が侵入され、その異物によって扉施錠フック１０７の係止部１０７ａと閉止具１３０の係合片１３３との係合が外され、ガラス扉１２０が不正に開かれることを防止することができる。
【００４９】
また、この実施例において、扉施錠フック１０７の前端部、すなわち係合部１０７ａが本体枠３０の挿通部４０から前方に突出することがない程度に挿通部４０の前後方向の寸法が設定されている。このため、本体枠３０の挿通部４０内において扉施錠フック１０７と閉止具１３０とを係脱可能に係合させる配置スペースを充分に確保することができ、扉施錠フック１０７の係合部１０７ａに対応するスペースにおいてもガラス扉１２０側に確保する必要がない。この結果、ガラス扉１２０の設計の自由度を増大させることができる。
【００５０】
また、この実施例において、図１４に示すように、本体枠３０に対し扉開閉用ヒンジ機構９０を支点としてガラス扉１２０が閉じ位置まで閉じられるときには、扉ガイド体１２７の後端部下面の面取り状のガイド面１２８が、扉受け部３４の扉受け用突部３８の前側上端部の面取り状の案内部３８ａに接して滑走した後、扉受け用突部３８上を滑走してガラス扉１２０を閉じ案内することができる。そして、ガラス扉１２０が閉じ位置まで閉じられたときには、扉ガイド体１２７の下面が扉受け部３４の扉受け用突部３８によって受け支えられる。
これによって、ガラス扉１２０の自由端側が不測に下傾することなく正規の閉じ状態に保持することができ、かつ施錠装置１００の扉施錠フック１０７と閉止具１３０とを係合不良なく確実に係合させることができる。
【００５１】
特に、この実施例において、ガラス扉１２０は、その下部に上皿部材１２５が一体状に設けられた大型のガラス扉１２０であり、上皿部材１２５が設けられない形式のガラス扉と比べその重量も重い。
このように大型で重量が重いガラス扉１２０であっても、扉ガイド体１２７の自由端寄り部分の下面を扉受け部３４によって受け支えることで、ガラス扉１２０の自由端側が不測に下傾する不具合を防止することができる。
また、この実施例において、図１３と図１４に示すように、扉受け用突部３８の前側上端部には傾斜面、円弧面、湾曲面等の面取り状の案内部３８ａが形成され、扉ガイド体１２７の後端部下面には、傾斜状、円弧状、湾曲状等の面取り状のガイド面１２８が形成されている。
これによって、本体枠３０に対し扉開閉用ヒンジ機構９０を支点としてガラス扉１２０が閉じ位置まで閉じられる際に、扉受け用突部３８の案内部３８ａに沿って扉ガイド体１２７のガイド面１２８が円滑に接しながら滑走するため、扉受け用突部３８に扉ガイド体１２７が衝突して相互に損傷される不具合を解消することができる。
【００５２】
また、この実施例において、図１６に示すように、ガラス扉１２０の周縁部とこれに対向する本体枠３０の枠体部分のうち、少なくとも前記ガラス扉１２０の自由端縁と、これに対向する本体枠３０の枠体部分には、ガラス扉１２０が閉じられたときに相互に嵌合する上下方向に長尺の嵌合凹部１５０と嵌合凸部１５５とがそれぞれ設けられている。そして、ガラス扉１２０が閉じられた状態にあるときには、上下方向に長尺の嵌合凹部１５０と嵌合凸部１５５と嵌合によって、ガラス扉１２０の自由端縁と、これに対向する本体枠３０の枠体部分との間の隙間が塞がれる。
このようにして、ガラス扉１２０の自由端縁と、これに対向する本体枠３０の枠体部分との間の隙間が塞がれることで、本体枠３０とガラス扉１２０との間に、線材、板材等の異物が侵入されることを防止することができる。このため、本体枠３０とガラス扉１２０との間の隙間から侵入される線材、板材等の異物によって扉施錠フック１０７と閉止具１３０との係合が外され、ガラス扉１２０が不正に開かれることを防止することができる。
【００５３】
また、この実施例において、本体枠３０の枠体部分の前面の嵌合凹部１５０は、外側に浅底部１５１、内側に深底部１５２を隣接状に有する段差状に形成される一方、ガラス扉１２０の自由端縁の嵌合凸部１５５は、段差状の嵌合凹部１５０に対応する第１凸部１５６と第２凸部１５７とを隣接状に有している。
さらに、ガラス扉１２０の合成樹脂製の前面装飾部材１２４の自由端縁に、第１凸部１５６が一体に形成され、ガラス扉１２０の金属製の扉フレーム１２０ａの自由端縁に第２凸部１５７が折り曲げ加工によって一体に形成されている。
このため、仮に、合成樹脂製の本体枠３０の嵌合凹部１５０の外側壁１５３やガラス扉１２０の合成樹脂製の前面装飾部材１２４の第１凸部１５６が、加熱された金属棒やタバコの火等によって部分的に溶融されて孔が明けられ、その孔から異物が不測に侵入されたとしても、その異物を金属製の扉フレーム１２０ａに第２凸部１５７によってこれ以上奥まで侵入されることを防止することができる。
【００５４】
また、この実施例において、図１５に示すように、本体枠３０に対し扉開閉用ヒンジ機構９０を支点としてガラス扉１２０が閉じ位置まで閉じられたときには、ガラス扉１２０の扉拘束体１４０の係合片１４３が本体枠（前枠体３１）３０の扉用拘束部３９の後側に接近して係合可能に配置される。
これによって、本体枠３０とガラス扉１２０との間のヒンジ側において、ワイヤ、ドライバー等の異物が挿入されてガラス扉１２０が前方に向けて不測にこじ開けられて不正行為がなされることを防止することができる。
しかも、金属製の扉拘束体１４０は、ガラス扉１２０の上下方向の略中間高さ位置近傍から下端部近傍にわたる長さを有して上下方向に長尺に形成されるとともに、遊技盤６１の上下方向の略中間高さ位置から下端にわたる長さを有している。
このため、遊技盤６１の上下方向の略中間高さ位置から下端との間に配置される入賞役物（入賞装置）、例えば、大入賞口を開閉可能に有するアタッカとも呼ばれている可変入賞役物（図示しない）に対する不正行為の防止に効果が大きい。
すなわち、アタッカ（可変入賞役物）をねらって、そのアタッカの側方における本体枠３０とガラス扉１２０との間のヒンジ側の隙間に対し、ワイヤ、ドライバー等の異物が侵入されたとしても、上下方向に長尺の金属製の扉拘束体１４０によって異物の侵入を阻止することができ、アタッカ（可変入賞役物）に対する不正行為の防止に効果が大きい。さらに、ワイヤ、ドライバー等の異物が加熱されている場合においても、金属製の扉拘束体１４０によって異物の侵入を阻止することができる。
【００５５】
また、ガラス扉１２０の金属製の扉フレーム１２０ａの後面に対し、扉拘束体１４０をその取付片１４１においてビス、溶接等によって固着する際に、ビス締め工具、あるいは溶接ガンが扉拘束体１４０の係合片１４３に当たって干渉することがないように扉拘束体１４０の取付片１４１の横断面の長さ寸法が、係合片１４３の横断面の長さ寸法よりも大きく設定されている。
このため、ガラス扉１２０の金属製の扉フレーム１２０ａの後面に対し、扉拘束体１４０をその取付片１４１においてビス、溶接等によって固着する際に、係合片１４３が妨害物とならないため、金属製の扉フレーム１２０ａの後面に対し、扉拘束体１４０をその取付片１４１においてビス、溶接等によって容易にかつ強固に固着することができる。
【００５６】
［この発明の他の実施例について］
なお、この発明は実施例に限定するものではない。
例えば、実施例においては、前枠体３１、遊技盤装着枠６０及び機構装着体８０が合成樹脂材によって一体成形されることで本体枠３０が構成される場合を例示したが、遊技盤が着脱可能に装着される遊技盤装着枠が一体に形成されたりあるいは別体の遊技盤装着枠が組み付けられる前枠体が本体枠である場合おいてもこの発明を実施することができる。。また、前枠体は合成樹脂材以外の木質製であってもよい。
また、ガラス扉１２０の閉止具１３０及び扉施錠フック１０７に対応して本体枠３０の自由端部に形成された挿通部４０においては、貫通孔状であってもよく、また切り欠き状であってもよい。
【００５７】
前記実施例は次に述べる他の発明を含んでいる。
【００５８】
［他の発明の手段及び作用効果について］
他の発明１の手段１は、
「（請求項１）本体枠の前面の一側部には、扉開閉用ヒンジ機構によってガラス扉が開閉可能に装着され、前記本体枠の後面の他側部には、前記ガラス扉を閉じ状態に施錠する施錠装置が配設された遊技機であって、
前記本体枠と前記ガラス扉のヒンジ側には、同ガラス扉が閉じられたときに係脱可能に係合してガラス扉がこじ開けられることを阻止する扉拘束手段が設けられ、
前記扉拘束手段は、前記本体枠に設けられた扉拘束部と、前記ガラス扉の後面に設けられかつ前記扉拘束部に係脱可能に係合する扉拘束体と、を備え、
前記扉拘束体は、上下方向に長尺状に形成されるていることを特徴とする遊技機。」を要旨とする。
ここで、本体枠は、外枠に開閉可能に装着された前枠体、あるいは前枠体と遊技盤装着枠とを一体に備えたもの、あるいは前枠体、遊技盤装着枠及び機構装着体を一体に備えたものも含む。
【００５９】
前記構成において、本体枠とガラス扉との間のヒンジ側において、ワイヤ、ドライバー等の異物が挿入されてガラス扉が前方に向けて不測にこじ開けられることを防止することができる。
特に、扉拘束体は、上下方向に長尺状に形成されるため、ワイヤ、ドライバー等の異物の挿入防止やガラス扉のこじ開け防止に効果が大きい。
例えば、本体枠に設けられた遊技盤装着枠に遊技盤が装着された遊技機において、扉拘束体が、遊技盤の上下方向の略中間高さ位置から下端にわたって上下方向に長尺に形成された場合には、遊技盤の上下方向の略中間高さ位置から下端との間に配置される入賞役物（入賞装置）、例えば、大入賞口を開閉可能に有するアタッカとも呼ばれている可変入賞役物（図示しない）に対する不正行為の防止に効果が大きい。
【００６０】
他の発明１の手段２は、
「（請求項２）請求項１に記載の遊技機であって、
本体枠は、合成樹脂材によって形成され、
扉拘束部は、前記本体枠を合成樹脂材によって形成すると同時に、同本体枠と一体に形成されていることを特徴とする遊技機。」を要旨とする。
【００６１】
前記構成において、本体枠を合成樹脂材によって形成すると同時に、同本体枠と一体に扉拘束部を形成することで、本体枠とは別個に扉拘束部を形成して本体枠に組み付ける手間を省くことができ、部品点数や組付工数を削減してコスト低減を図ることができる。
【００６２】
他の発明１の手段３は、
「（請求項３）請求項１又は２に記載の遊技機であって、
ガラス扉はその後側に金属製の扉フレームを有し、
扉拘束体は、金属板の曲げ加工によって上下方向に長尺状に形成されるとともに、前記ガラス扉の金属製の扉フレームの後面にビス、溶接等によって固着される取付片と、その取付片から後方に向けて突出された側壁片と、その側壁片の先端に設けられかつ本体枠の扉拘束部に係脱可能に係合する係合片と、を一体に備えていることを特徴とする遊技機。」を要旨とする。
【００６３】
前記構成において、金属板の曲げ加工によって取付片、側壁片及び係合片を備えた扉拘束体を容易に形成することができるとともに、金属製の扉フレームの後面に対し、金属製の扉拘束体をビス、溶接等によって安定よく強固に固着することができる。
【００６４】
他の発明１の手段４は、
「（請求項４）請求項３に記載の遊技機であって、
ガラス扉の金属製の扉フレームの後面に対し、扉拘束体をその取付片においてビス、溶接等によって固着する際に、前記扉拘束体の係合片が妨害物とならないように、前記扉拘束体の取付片の横断面の長さ寸法が、前記係合片の横断面の長さ寸法よりも大きく設定されていることを特徴とする遊技機。」を要旨とする。
【００６５】
前記構成において、金属製の扉フレームの後面に対し、扉拘束体をその取付片においてビス、溶接等によって固着する際に、係合片が妨害物とならないため、金属製の扉フレームの後面に対し、扉拘束体をその取付片においてビス、溶接等によって容易に固着することができる。
【００６６】
遊技機としては、前側にガラス扉のような開閉扉が開閉可能に装着された遊技機であればこの発明を実施可能である。例えば、パチンコ機の他、メダルを用いてスロット遊技を行うスロットマシン、あるいは、球（パチンコ球）を用いてスロット遊技を行う遊技機でる場合においてもこの発明を実施可能である。
【００６７】
他の発明２の手段１は、
「（請求項１）
本体枠の前面の一側部に扉開閉用ヒンジ機構によってガラス扉が開閉可能に装着された遊技機であって、
前記ガラス扉の後側の中央部から自由端寄り部分には、同ガラス扉が閉じられたときに、前記本体枠の前側の扉受け部に受け支えられる扉ガイド体が後方に向けて突設されていることを特徴とする遊技機。」
を要旨とする。
ここで、本体枠は、外枠に開閉可能に装着された前枠体、あるいは前枠体と遊技盤装着枠とを一体に備えたもの、あるいは前枠体、遊技盤装着枠及び機構装着体を一体に備えたものも含む。
【００６８】
前記構成において、ガラス扉が閉じ位置まで閉じられたときには、扉ガイド体の下面が本体枠の扉受け部によって受け支えらることができる。このため、ガラス扉の自由端側が不測に下傾することなく正規の閉じ状態に保持することができる。特に、大型で重量が重いガラス扉である場合にはその効果が大きい。
【図面の簡単な説明】
【００６９】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の本体枠と遊技盤とを分離して斜め右上前方から示す斜視図である。
【図４】同じく遊技機の本体枠を斜め右上前方から示す斜視図である。
【図５】同じく遊技機の本体枠を斜め右上後方から示す斜視図である。
【図６】同じく施錠装置の下半部を示す斜視図である。
【図７】同じくガラス扉の閉止具を示す斜視図である。
【図８】同じく施錠装置の本体枠施錠フック、扉施錠フック及び本体枠の挿通部の関係を示す斜視図である。
【図９】同じく本体枠の挿通部の正面孔形状及び扉施錠フックと閉止具の係合状態を示す説明図である。
【図１０】同じく施錠装置の本体枠施錠フック、扉施錠フック及び本体枠の挿通部の関係を示す側断面図である。
【図１１】同じくガラス扉を斜め下後方から示す斜視図である。
【図１２】同じくガラス扉に対し扉拘束体を分離した状態を後方から示す斜視図である。
【図１３】同じく本体枠の扉受け部とガラス扉の扉ガイド体とが分離した状態を示す斜視図である。
【図１４】同じく本体枠に対しガラス扉が閉じられた状態の扉受け部と扉ガイド体との関係を示す側断面図である。
【図１５】同じく本体枠に対しガラス扉が閉じられた状態のヒンジ側を拡大して示す平断面図である。
【図１６】同じく本体枠に対しガラス扉が閉じられた状態の自由端側を拡大して示す平断面図である。
【符号の説明】
【００７０】
１０  外枠
３０  本体枠
３１  前枠体
４０  挿通部
６０  遊技盤装着枠
８０  機構装着体
１００  施錠装置
１０７  扉施錠フック
１０７ａ  係合部
１１０  シリンダー錠
１２０  ガラス扉
１３０  閉止具
１３１  取付片
１３２  側壁片
１３３  係合片（横方向の係合片）
【図１】
2005270643.tif 000003
【図２】
2005270643.tif 000004
【図３】
2005270643.tif 000005
【図４】
2005270643.tif 000006
【図５】
2005270643.tif 000007
【図６】
2005270643.tif 000008
【図７】
2005270643.tif 000009
【図８】
2005270643.tif 000010
【図９】
2005270643.tif 000011
【図１０】
2005270643.tif 000012
【図１１】
2005270643.tif 000013
【図１２】
2005270643.tif 000014
【図１３】
2005270643.tif 000015
【図１４】
2005270643.tif 000016
【図１５】
2005270643.tif 000017
【図１６】
2005270643.tif 000018